(57)【要約】【課題】白蟻の通過を確実に阻止でき、しかも建築用木材への装着が容易な防蟻材が求められている。【解決手段】防蟻材１は、白蟻の分泌物に対する耐性を有し、且つ、白蟻が通過不能な目開き５の寸法のメッシュ体４で構成されたものであって、メッシュ体４が、建築用木材Ｗ１の外周寸法Ｄ×４よりも大きな内周寸法Ｅ×４で建築用木材Ｗ１を挿通可能な筒状に形成されたものである。このメッシュ体４は、例えば、螺旋状に巻かれた螺旋線条２と、螺旋線条２の間に編み込まれた多数の直線線条３とで編成され周方向に継目のない角筒状に形成されている。防蟻材１に建築用木材Ｗ１を挿通するための挿通用治具を用いてもよい。【選択図】      図１
2004305103.tif 000002
【特許請求の範囲】
【請求項１】
白蟻の分泌物に対する耐性を有し、且つ、白蟻が通過不能な目開き寸法のメッシュ体で構成される防蟻材であって、前記メッシュ体が、建築用木材の外周寸法よりも大きな内周寸法で建築用木材を挿通可能な筒状に形成されていることを特徴とする防蟻材。
【請求項２】
請求項１に記載の防蟻材に建築用木材を挿通するために用いられる挿通用治具であって、防蟻材内に挿通可能な外周寸法に形成された治具本体を備えて成り、治具本体の後面に、建築用木材の端面に着脱自在に嵌着される嵌合凹部が形成され、治具本体の前面に、前方に細くなるテーパ部が形成されていることを特徴とする挿通用治具。
【発明の詳細な説明】
【０００１】
【発明の属する技術分野】
本発明は、建築用木材の外面を被って白蟻の食害を防ぐ防蟻材、および、この防蟻材を建築用木材に装着する際に用いられる挿通用治具に関する。
【０００２】
【従来の技術】
従来、この種の防蟻材としては、例えば下記の特許文献１に記載されたものが知られている。かかる文献記載の防蟻材は、白蟻の分泌物（例えば、蟻酸や木質分解酵素など）に対し耐性のあるステンレス鋼線製であり、白蟻が通過不能な目開き寸法のシート網状のメッシュ体で構成されている。メッシュ体の片面には小さな係止突起が多数設けられている。この防蟻材は柱や土台など建築用木材の外周に巻きつけて重ねられたのち、重ね合わせ部分の係止突起が対面位置の目開きに係止されて固定されるようになっている。
【０００３】
かかる防蟻材は以下の点で注目されている。すなわち、環境悪化やシックハウス症候群の発生などにつながる化学物質や薬剤などを使用することなく白蟻の食害を防げること、木材への通気性を損なわないこと、薬剤などが数年毎の塗布を必要とするのに対し一度の工事で半永久的な白蟻予防ができて白蟻対策工事を安価に実現できることなどである。
【０００４】
【特許文献１】
特開２００１−３３３６８５号公報
【０００５】
【発明が解決しようとする課題】
上記した従来の防蟻材において、係止突起は白蟻を通さないほど微小の目開きに差し込まれるので、極めて小さく形成しなければならない。そのため、係止突起は製作自体が困難で、一定以上の強度を確保することが難しいことから目開きに差し込まれる際に変形して役に立たないことがある。また、たとえ係止突起が目開きに差し込まれたとしても小さな力により変形して目開きから外れるおそれがある。また、取り扱い時に作業者の指先に刺さって負傷させやすい。
【０００６】
他方、上記従来の防蟻材は平たんなシート状体であるために建築用木材に巻きつけて使用されるが、その巻きつけ作業および係止突起の係止作業は想像以上に面倒であり手間がかかる。更には、防蟻材を重ね合わせた係止部分にどうしても隙間が生じやすく、この隙間から白蟻が侵入して木材を食い荒らすおそれもある。
【０００７】
本発明は、上記した従来の問題点に鑑みてなされたものであって、白蟻の通過を確実に阻止でき、しかも建築用木材への装着が容易な防蟻材および挿通用治具の提供を目的とする。
【０００８】
【課題を解決するための手段】
上記目的を達成するために、本発明に係る防蟻材は、白蟻の分泌物に対する耐性を有し、且つ、白蟻が通過不能な目開き寸法のメッシュ体で構成される防蟻材であって、前記メッシュ体が、建築用木材の外周寸法よりも大きな内周寸法で建築用木材を挿通可能な筒状に形成された構成にしてある。
【０００９】
また、本発明に係る挿通用治具は、請求項１に記載の防蟻材に建築用木材を挿通するために用いられる挿通用治具であって、防蟻材内に挿通可能な外周寸法に形成された治具本体を備えて成り、治具本体の後面に、建築用木材の端面に着脱自在に嵌着される嵌合凹部が形成され、治具本体の前面に、前方に細くなるテーパ部が形成されているものである。
【００１０】
【発明の実施の形態】
本発明の実施の形態を図面に基づいて説明する。尚、以下に述べる実施形態は本発明を具体化した一形態に過ぎず、本発明の技術的範囲を限定するものでない。ここに、図１は本発明の一実施形態に係る防蟻材を示す斜視図、図２は前記防蟻材の一部分と白蟻を並べて示す平面図である。
各図において、この実施形態に係る防蟻材１は、白蟻Ｇの分泌物に対し耐性を有するステンレス鋼線から成るメッシュ体４で構成されている。メッシュ体４は、一定のピッチＦで螺旋状に巻かれた螺旋線条２と、螺旋線条２の間に編み込まれた多数の直線線条３とで編成され周方向に継目のない角筒状に形成されている。
【００１１】
多数の直線線条３はメッシュ体４の筒心Ｑ方向に沿って配置されていて、これらの直線線条３，３間も一定の間隔Ｆに設定されている。これにより、螺旋線条２，２と直線線条３，３の間に、縦横間隔Ｆ×Ｆの目開き５が形成される。この目開き５の開口寸法（Ｆ）は白蟻Ｇが通過不能な寸法であり、例えば０．５ｍｍ以下である。また、螺旋線条２と直線線条３の線径は例えば０．１ｍｍである。そして、メッシュ体４の筒寸法は、建築用木材Ｗ１の外周寸法（縦寸法Ｄ×２＋横寸法Ｄ×２）よりも大きな内周寸法（縦寸法Ｅ×２＋横寸法Ｅ×２）に形成されていて、建築用木材Ｗ１を挿通可能な大きさとなっている。
【００１２】
かかる防蟻材１は、図３に示すように、例えば柱などの建築用木材Ｗ１が挿通される。ここでは、端面にホゾ６を有する建築用木材Ｗ１の例を示す。建築用木材Ｗ１のホゾ６側をメッシュ体４の一端開口から挿入し、他端開口からホゾ６を突出させる。すると、建築用木材Ｗ１の外周面が防蟻材１で被覆される。そして、メッシュ体４の他端開口の４辺を、ホゾ６に向けてそれぞれ折り曲げて折り曲げ部Ｒ１〜Ｒ４とする。これにより、ホゾ６を除く建築用木材Ｗ１の端面全体が折り曲げ部Ｒ１〜Ｒ４で被われる。これらの折り曲げ部Ｒ１〜Ｒ４はそのままの状態にしておいてもよいが、ホッチキスなどで建築用木材Ｗ１の端面に止めておけば確実である。
【００１３】
一方、図４に示すように、例えば土台などの建築用木材Ｗ２も防蟻材１に挿通されて、その全面が防蟻材１で被覆される。ホゾ穴７の上方を被った部分の防蟻材１はハサミなどで切除される。
そうして、図５に示すように、先述した建築用木材Ｗ１のホゾ６が建築用木材Ｗ２のホゾ穴７に矢印Ｐのように圧入されてホゾ接ぎされる。このとき、建築用木材Ｗ１側の防蟻材１の折り返し部Ｒ１〜Ｒ４は、建築用木材Ｗ２側の防蟻材１におけるホゾ穴７周辺の縁部Ｓ，Ｓ，Ｓ，Ｓ上に圧接されて密着する。
【００１４】
このようにして、例えば図６に示すような家屋建築構造が構築されるのである。この家屋建築構造では、地中埋設用の張り出し部１１を有するコンクリート基礎１０の上面に、予め全体が防蟻材１で被覆された建築用木材（土台）Ｗ２および建築用木材（土台）Ｗ３がボルトなどで固定される。これらの土台Ｗ２と土台Ｗ３はホゾ８とホゾ穴９でホゾ接ぎされる。その際、土台Ｗ２側の防蟻材１における折り返し部Ｒ５，Ｒ６は、土台Ｗ３側の防蟻材１におけるホゾ穴９周辺の折り返し部Ｒ７，Ｒ８に圧接されて密着する。そして、防蟻材１で被覆された建築用木材（柱）Ｗ１が図３で既述したように土台Ｗ２にホゾ接ぎされる。この場合、防蟻材１の折り返し部Ｒ１〜Ｒ４，Ｒ５，Ｒ６と、防蟻材１の縁部Ｓ，Ｓ，Ｓ，Ｓおよび折り返し部Ｒ７，Ｒ８とはしっかりと圧着しているため、これらの圧着部分に白蟻Ｇの入り込める隙間は生じない。
【００１５】
尚、柱Ｗ１においては、土間床面ＧＬから防蟻材１の上端１４までの高さがＨとなる部分を防蟻材１で被覆しなければならない。かかる高さＨは、白蟻Ｇが土間床面ＧＬ近傍に形成した蟻道から出て防蟻材１の上端１４まで到達しても蟻道に戻る前に体表が乾燥して死に至る距離である。因みに、かかる高さＨとしては、代表的なイエシロアリの場合で約１ｍである。無論、前記高さＨ（＝１ｍ）に拘泥されるものでなく、それよりも上方位置の柱Ｗ１を防蟻材１で被覆しても構わない。
【００１６】
上記したように、この実施形態の防蟻材１は、白蟻Ｇが通過不能な目開き寸法（Ｆ×Ｆ）のメッシュ体４で構成されているので、白蟻Ｇが目開き５を通り抜けて木材に到達することを阻止する。また、白蟻Ｇの分泌物に対する耐性を有するステンレス鋼材で構成されているので、白蟻Ｇに食い破られることがない。そして、防蟻材１のメッシュ体４は筒状に形成されていてその筒内に建築用木材Ｗ１〜Ｗ３を挿通させるだけで、建築用木材Ｗ１〜Ｗ３の外面をいとも簡単に防蟻材１で被覆することができる。従って、従来技術のように、面倒な巻きつけ作業や係止突起の係止作業を行う必要がなく、工事が楽である。また、巻きつけの場合に生じやすい周方向の隙間も全く発生しない。
【００１７】
ところで、建築用木材の切断端面は微小なササクレが多数存在しているため、防蟻材１の筒開口や目開き５に引っ掛かりやすい。そこで、防蟻材１に建築用木材を挿通するにあたっては、図７に示すような挿通用治具２０を使用するとよい。この挿通用治具２０は、原材料を問わないが例えば合成樹脂で成型され、外周面の一辺が寸法Ｉである正面視正方形状の治具本体２１から成っている。治具本体２１はその外周寸法（Ｉ×４）が角筒状の防蟻材１の内周寸法（Ｅ×４）よりも小さく設定されていて防蟻材１の筒内に挿通されるようになっている。そして、治具本体２１の前面には前方に細くなる先細のテーパ部２２が形成されている。また、治具本体２１の後面には、一辺が寸法Ｊである正方形状の嵌合凹部２３が前方に陥没して形成されている。嵌合凹部２３の縦横寸法Ｊ×Ｊは、例えば前記した建築用木材Ｗ１の端面（Ｄ×Ｄ）に着脱自在に嵌着される寸法に設定されている。嵌合凹部２３の前方には、この嵌合凹部２３と連通する凹部２４が形成されている。この凹部２４は建築用木材Ｗ１の端面に設けられたホゾなどを収容するためのものである。
【００１８】
前記した挿通用治具２０は建築用木材Ｗ１の先端に嵌着される。そして、挿通用治具２０を先頭に建築用木材Ｗ１が防蟻材１の一端開口から挿入される。この場合、挿通用治具２０の外周寸法は防蟻材１の内周寸法よりも小さいので、挿通用治具２０および建築用木材Ｗ１はいとも簡単に防蟻材１内に挿通され、その外周面が防蟻材１で被われる。そうして、防蟻材１の他端開口から挿通用治具２０が露出すると、挿通用治具２０は建築用木材Ｗ１の先端から取り外される。後処理として、防蟻材１の筒開口周縁が折り曲げられて、建築用木材Ｗ１の端面が被われる。このようにして、挿通作業が完了する。
【００１９】
上記のように、挿通用治具２０を用いた建築用木材の挿通方法によれば、建築用木材Ｗ１の先端に先細の挿通用治具２０が嵌着されるので、建築用木材Ｗ１の先端が防蟻材１の筒開口や目開き５に引っ掛かって挿通を阻害するといったことがない。また、いったん挿通用治具２０が筒開口から挿入されると、建築用木材Ｗ１の途中にササクレなどがあってもほとんど挿通に支障を生じない。従って、建築用木材Ｗ１を防蟻材１内に円滑かつ短時間で挿通することができ、極めて作業性がよい。
【００２０】
一方、挿通用治具２０を装着した建築用木材Ｗ１は、図８に示すように、円筒状に形成された防蟻材１Ａのメッシュ体４Ａ内に挿通することもできる。このメッシュ体４Ａは、いずれもステンレス鋼線から成る、正面視円形状の螺旋線条２Ａと、多数の直線線条３とで編成されている。この場合、メッシュ体４Ａの筒内径Ｍは、挿通用治具２０の外周寸法（Ｉ×４）よりもメッシュ体４Ａの内周寸法（円周率π×Ｍ）がいくぶん大きくなるように設定されている。
【００２１】
そこで、先端に挿通用治具２０を取り付けた建築用木材Ｗ１を防蟻材１Ａ内に挿通する（矢印Ｎ）。すると、防蟻材１Ａは挿通用治具２０の治具本体２１の外周形状に沿って塑性変形する。これにより、防蟻材１Ａは、自動的に図１に示したような角筒状の形となり、そのまま建築用木材Ｗ１の外面を被うのである。従って、建築用木材の挿通作業の機械化を図ることができる。
【００２２】
尚、上記の実施形態では、線条から成る網状のメッシュ体４，４Ａを例示したが、本発明はそれに限定されるものでない。図９に示すように、例えばステンレス鋼板製のメッシュ体４ａから成る防蟻材１ａも、本発明に含まれる。メッシュ体４ａはステンレス鋼製の板材１２で筒状に形成されていて、板材１２に縦横寸法Ｋ×Ｋの正方形状の目開き５ａが多数穿設されている。この場合も、目開き５ａの縦横寸法Ｋ×Ｋは白蟻が通過不能な寸法である。
【００２３】
また、目開きの開口形状は既述した正方形状に限らない。図１０に示すように、例えばステンレス鋼板から成る板材１３に直径Ｌの円形状の目開き５ｂが多数穿設された筒状のメッシュ体４ｂから成る防蟻材１ｂでもよい。目開き５ｂの直径Ｌも白蟻が通過不能な寸法である。
【００２４】
一方、白蟻の分泌物に対し耐性を有する材質や耐候性に優れた劣化のし難い材質であれば特に限定されない。すなわち、既述したステンレス鋼材以外に、例えば、ポリエチレン、ポリプロピレン、ナイロン、ポリカーボネートなどの合成樹脂を用いることができる。
【００２５】
【発明の効果】
以上詳述したように、本発明に係る防蟻材によれば、メッシュ体の目開きが白蟻の通過不能な寸法に形成されているので、白蟻が目開きを通り抜けて木材に到達することを阻止できる。また、白蟻の分泌物に対する耐性を有する材料で構成されているので、白蟻に食い破られることがない。特に、この防蟻材は筒状に形成されているので、その筒内に建築用木材を挿通させるだけで建築用木材の外面を簡単に被覆することができる。従って、従来技術のように、面倒な巻きつけ作業や係止突起の係止作業を行う必要がない。そして、防蟻材は筒周方向全周にわたってシームレスであるから筒周方向に隙間がなく、白蟻の侵入を確実に阻止できる。
【００２６】
また、本発明に係る挿通用治具は、建築用木材の端面を被うので、建築用木材の端面が防蟻材の筒開口や目開きと干渉して挿通を阻害するといったことを防止できる。従って、建築用木材を防蟻材内に円滑かつ短時間で挿通することができる。
【図面の簡単な説明】
【図１】本発明の一実施形態に係る防蟻材を示す斜視図である。
【図２】前記防蟻材の一部分と白蟻を並べて示す平面図である。
【図３】前記防蟻材に建築用木材を挿通した態様を示す外観図である。
【図４】前記防蟻材に別の建築用木材を挿通した態様を示す部分平面図である。
【図５】前記防蟻材を装着した２つの建築用木材をホゾ接ぎする態様を側面から見た説明図である。
【図６】前記防蟻材を装着した建築用木材をホゾ接ぎした家屋建築構造を側面から見た説明図である。
【図７】前記防蟻材に建築用木材を挿通する際に用いられる挿通用治具を示したものであり、（ａ）は側面図、（ｂ）は背面図である。
【図８】前記挿通用治具を用いて防蟻材に建築用木材を挿通する態様を示す説明図である。
【図９】本発明の別の実施形態に係る防蟻材のメッシュ体を示す部分平面図である。
【図１０】本発明の他の実施形態に係る防蟻材のメッシュ体を示す部分平面図である。
【符号の説明】
１，１ａ，１ｂ，１Ａ  防蟻材
４，４ａ，４ｂ，４Ａ  メッシュ体
５，５ａ，５ｂ  目開き
２０  挿通用治具
２１  治具本体
２２  テーパ部
２３  嵌合凹部
Ｄ，Ｅ，Ｆ，Ｉ，Ｊ，Ｋ  寸法
Ｇ    白蟻
Ｌ，Ｍ  直径
Ｎ    矢印
Ｗ１，Ｗ２，Ｗ３  建築用木材
【図１】
2004305103.tif 000003
【図２】
2004305103.tif 000004
【図３】
2004305103.tif 000005
【図４】
2004305103.tif 000006
【図５】
2004305103.tif 000007
【図６】
2004305103.tif 000008
【図７】
2004305103.tif 000009
【図８】
2004305103.tif 000010
【図９】
2004305103.tif 000011
【図１０】
2004305103.tif 000012